(57)【要約】【課題】人体検知装置のレンズの上方には、各素子に対応して一対一の関係で球面レンズが固定され、補強板を接合したカバーが配置されているため、人体検知装置部が本体から突出しデザイン性を損なう課題があった。【解決手段】人体検知装置１により室内の人の在否と位置を検知して運転を制御する空気調和機であって、人体検知装置１全体を覆うカバー５を配置し、カバー５をレンズ化することにより、人体検知装置１とカバー５の距離を短縮することが可能となり、人体検知装置部１の突出量を少なくすることが可能となる。【選択図】図１
2010096361.tif 000002
【特許請求の範囲】
【請求項１】
人体検知装置により室内の人の在否と位置を検知して運転を制御する空気調和機であって、前記人体検知装置全体を覆うカバーを配置し、前記カバーをレンズ化することを特徴とする空気調和機。
【請求項２】
カバーに区画を分けた非球面レンズを形成することでレンズ化することを特徴とする請求項１に記載の空気調和機。
【請求項３】
少なくとも１つ以上の人体検知装置に一体となった一組の非球面のレンズが対応する構成となっていることを特徴とする請求項１または２に記載の空気調和機。
【請求項４】
人体検知装置を左右に駆動させる構成を特徴とする請求項１〜３のいずれか１項に記載の空気調和機。
【請求項５】
人体検知装置を上下に駆動させる構成を特徴とする請求項１〜４のいずれか１項に記載の空気調和機。
【請求項６】
カバーに人体検知装置を取り付ける構成を特徴とする請求項１〜５のいずれか１項に記載の空気調和機。
【発明の詳細な説明】
【技術分野】
【０００１】
本発明は、人体検知装置により人の在否を検知して運転を制御する空気調和機に関するものである。
【背景技術】
【０００２】
従来、この種の空気調和機は、室内ユニットに設けられた人体検知装置により、室内のどこに人がいるかを検知し、その検知情報を利用して快適で効率的な空気調和を行う空気調和機が提案されている（例えば、特許文献１参照）。
【０００３】
また、この構成では人体検知装置が外観に露出しており、それを隠蔽する構成として、室内ユニット前面パネルの前面に人体検知装置を覆うカバーを配置して外観性向上を図った空気調和機が一般的に知られている。
【０００４】
図３（ａ）は、従来の空気調和機の室内ユニットの正面図、（ｂ）は、人体検知装置を覆うカバーを取り外した際の正面図、（ｃ）は、側面図、図４は、従来の人体検知装置ユニットの分解斜視図、図５は、従来の人体検知装置ユニットの断面図を示すものである。図１に示すように、室内ユニット６は、人体検知装置ユニット７が備えられた前面パネル８を有している。この室内ユニット６は人体検知装置ユニット７からの人体位置検知情報に基づき、人体位置を特定することにより送風方向を決定し、空気調和を行う。
【０００５】
図４、図５に示されるように、人体検知装置ユニット６は、人体検知装置１と人体検知装置固定台８と補強板３とカバー２で構成されており、人体検知装置１は各素子に対応する複数のレンズ４を具備し、人体検知装置１と人体検知装置１に具備された複数のレンズ４上部に補強板３が配置され、補強板３上部にカバー２が配置されている。
【特許文献１】特開２０００−２４１００３号公報
【発明の開示】
【発明が解決しようとする課題】
【０００６】
しかしながら、前記従来の構成では、人体検知装置には、各素子に対応して一対一の関係で球面レンズが固定されている構成となっているため、そのままでは、このレンズが外観に露出してしまい、塵埃等による検知精度や外観品位が悪化する可能性がある。
【０００７】
また、人体検知装置の前方へカバーを配置する方法では、赤外線損失率を考慮するとカバーの厚みをできるだけ薄く（例えば、高密度ＰＥ製のカバーの場合、０．５ｍｍ以下）しなくてはならない。この場合、強度不足、表面の波打ちによる外観性悪化を防止するため、カバー裏側から補強板を接合する構成としているが、補強板が入る内部空間が必要となり、人体検知装置ユニットが前面パネルより前方に突出してしまう（上記例の場合、１０ｍｍ以上）という課題を有していた。
【０００８】
本発明は、前記従来の課題を解決するもので、赤外線損失率を悪化させずに、補強板を必要としない強度を有するカバーの厚みをもたせ、検知精度や外観品位の悪化を防止する空気調和機を提供することを目的とする。
【課題を解決するための手段】
【０００９】
前記従来の課題を解決するために、本発明の空気調和機は、人体検知装置全体を覆うカバーを配置し、カバーをレンズ化することによって、人体検知装置上の球面レンズを赤外線損失率を悪化させずに不要とし、補強板を必要としない強度を有するカバーの厚みをも
たせ、検知精度や外観品位の悪化を防止する空気調和機を提供することができる。
【発明の効果】
【００１０】
本発明の空気調和機は、赤外線損失率を悪化させずに、補強板を必要としない強度を有するカバーの厚みをもたせ、検知精度や波打ちなどの外観品位の悪化を防止し、球面レンズを不要とすることで、部品数や組み立てコストを削減できるので、性能のよい空気調和機を安価に提供することができる。
【発明を実施するための最良の形態】
【００１１】
第１の発明は、人体検知装置により室内の人の在否と位置を検知して運転を制御する空気調和機であって、前記人体検知装置全体を覆うカバーを配置し、前記カバーをレンズ化することにより、赤外線損失率を悪化させずに、補強板を必要としない強度を有するカバーの厚みをもたせ、検知精度や波打ちなどの外観品位の悪化を防止し、球面レンズを不要とすることで、部品数や組み立てコストを削減できるので、性能のよい空気調和機を安価に提供することができる。
【００１２】
第２の発明は、特に、第１の発明のカバーに区画を分けた非球面レンズを形成することでレンズ化することにより、赤外線損失率を悪化させずに、補強板を必要としない強度を有するカバーの厚みをもたせ、検知精度や波打ちなどの外観品位の悪化を防止し、球面レンズを不要とすることで、部品数や組み立てコストを削減できるので、性能のよい空気調和機を安価に提供することができる。
【００１３】
第３の発明は、特に、第１または第２の発明の、少なくとも１つ以上の人体検知装置に一体となった一組の非球面のレンズが対応する構成となっていることにより、性能を維持したまま内部空間の短縮を図ることができる。
【００１４】
第４の発明は、特に、第１〜３のいずれか１つの発明の人体検知装置を左右に駆動させる構成とすることにより、人体検知装置数が少なくても広範囲を検知することが可能となる。
【００１５】
第５の発明は、特に、第１〜４のいずれか１つの発明の人体検知装置を上下に駆動させる構成とすることにより、人体検知装置数が少なくても広範囲を検知することが可能となる。
【００１６】
第６の発明は、特に、第１〜５のいずれか１つの発明のカバーに人体検知装置を取り付ける構成とすることにより、人体検知装置ユニット一体として扱うことができ、組み立て工数の削減やサービス性の向上が可能となる。
【００１７】
以下、本発明の実施の形態について、図面を参照しながら説明する。なお、この実施の形態によって本発明が限定されるものではない。
【００１８】
（実施の形態）
図３は、従来の空気調和機の室内ユニットの構成を表すものであるが、本発明の第１の実施の形態における空気調和機の室内ユニットの構成もほぼ同様である。図３に示されるように、室内ユニット６は、人体検知装置ユニット７が備えられた前面パネル８を有している。この室内ユニット６は人体検知装置ユニット７からの人体位置検知情報に基づき、人体位置を特定することにより送風方向を決定し、空気調和を行う。
【００１９】
図１は、本発明の第１の実施の形態における人体検知装置ユニットの（ａ）は分解斜視図、（ｂ）は断面図を示すものである。
【００２０】
図１に示すように、空気調和機の室内ユニット６に具備されている人体検知装置ユニット７は、人体検知装置１と、１ｍｍ以上の肉厚の高密度ＰＥ製の非球面レンズカバー５を有している。非球面レンズカバー５は十分な肉厚を有するため、補強板を必要とせず、またレンズの機能を有するため、室内機ユニット６外郭からの突出量を１０ｍｍ以下に削減し、人体検知の範囲を損なうことなく、外観性を向上し、部品点数の削減を図ることが可能となる。
【００２１】
図２は、本発明の第１の実施の形態における人体検知ユニットの一部破断斜視図を示すものである。
【００２２】
図２に示すように、人体検知装置１を回転装置９により、上下方向や左右方向へ回転させる構成で、カバーを分割し、区画を分けた非球面レンズを形成することで、一体となった一組の複眼レンズ１０としているので、人体検知装置数が１個あるいは２個でも５個相当の広範囲の視野を確認することが可能となる。
【００２３】
また、人体検知装置ユニット７は、非球面レンズカバー５に取り付ける構成となっているので、人体検知装置ユニット一体として扱うことができる。
以上のように、本実施の形態においては、人体検知装置により室内の人の在否と位置を検知して運転を制御する空気調和機であって、前記人体検知装置全体を覆うカバーを配置し、前記カバーをレンズ化することにより、赤外線損失率を悪化させずに、補強板を必要としない強度を有するカバーの厚みをもたせ、検知精度や波打ちなどの外観品位の悪化を防止し、球面レンズを不要とすることで、部品数や組み立てコストを削減できるので、性能のよい空気調和機を安価に提供することができる。
【産業上の利用可能性】
【００２４】
以上のように、本発明にかかる空気調和機は、人体検知装置の検知精度や波打ちなどの外観品位の悪化を防止し、部品数や組み立てコストを削減できるので、空気調和機以外にも、人体検知センサを搭載する空気清浄機等他の電気機器の用途にも適用できる。
【図面の簡単な説明】
【００２５】
【図１】本発明の実施の形態１における人体検知装置ユニットの（ａ）分解斜視図（ｂ）断面図
【図２】本発明の実施の形態における人体検知ユニットの一部破断斜視図
【図３】従来の空気調和機の室内ユニットの（ａ）正面図（ｂ）体検知装置を覆うカバーを取り外した際の正面図（ｃ）側面図
【図４】従来の人体検知装置ユニットの分解斜視図
【図５】従来の人体検知装置ユニットの断面図
【符号の説明】
【００２６】
１  人体検知装置
２  カバー
３  補強板
４  レンズ
５  非球面レンズカバー
６  室内ユニット
７  人体検知装置ユニット
８  前面パネル
９  回転装置
１０  複眼レンズ
【図１】
2010096361.tif 000003
【図２】
2010096361.tif 000004
【図３】
2010096361.tif 000005
【図４】
2010096361.tif 000006
【図５】
2010096361.tif 000007